(57)【特許請求の範囲】
【請求項１】
被固定部と、前記被固定部に固定されるバッテリと、前記バッテリのバッテリポストに取り付けられるヒュージブルリンクユニットと、を備えたヒュージブルリンクユニットの支持構造において、
前記ヒュージブルリンクユニットが、ヒュージブルリンク本体と、前記ヒュージブルリンク本体に連なり、かつ、前記ヒュージブルリンクユニットが前記バッテリに取り付けられると前記被固定部と当接して弾性変形して弾性復元力を生じて前記被固定部を押圧する弾性部を備えたことを特徴とするヒュージブルリンクユニットの支持構造。
【請求項２】
前記弾性部が、前記ヒュージブルリンク本体と着脱自在な着脱部を備えたことを特徴とする請求項１に記載のヒュージブルリンクユニットの支持構造。
【請求項３】
前記弾性部が、前記着脱部に連なり、かつ、前記ヒュージブルリンクユニットを前記バッテリに取り付ける際に前記ヒュージブルリンクユニットが前記バッテリに近づく方向に対して交差する方向の弾性復元力を生じる弾性片を備えたことを特徴とする請求項２に記載のヒュージブルリンクユニットの支持構造。
【請求項４】
前記弾性部が、前記着脱部に連なり、かつ、前記ヒュージブルリンクユニットが前記バッテリに取り付けられると前記バッテリと当接して弾性変形して弾性復元力を生じて前記バッテリを押圧する第二の弾性片を備えたことを特徴とする請求項３に記載のヒュージブルリンクユニットの支持構造。
【発明の詳細な説明】
【技術分野】
【０００１】
本発明は、被固定部と、前記被固定部に固定されるバッテリと、前記バッテリのバッテリポストに取り付けられるヒュージブルリンクユニットとを備えたヒュージブルリンクユニットの支持構造に関する。
【背景技術】
【０００２】
移動体としての自動車には、車体に搭載された様々な電子機器等に電力を供給する電源供給源としてのバッテリが搭載されている。バッテリと、電子機器等に接続された電線とは、例えば、ヒュージブルリンクユニット（ヒューズユニット）を介して電気的に接続されて、バッテリからの電力が電子機器等に供給される（例えば、特許文献１参照）。ヒュージブルリンクユニットは、それぞれの電子機器等にバッテリからの電力を分配するとともに該電子機器等に過度な電力が供給されることを防止する。
【０００３】
特許文献１に示されたヒュージブルリンクユニットは、全体として略Ｌ字状に形成され、バッテリの上面に配される取付部と、バッテリの側面と相対するように配されるハウジングと、一端部が取付部内に収容されてバッテリのバッテリポストと電気的に接続されるとともに他端部がハウジング内に収容されて前記電線と電気的に接続されるヒューズ本体とを備えている。
【０００４】
取付部がバッテリ端子を介してバッテリポストに取り付けられて、ヒュージブルリンクユニットとバッテリとが電気的に接続される。バッテリ端子は、取付部とヒューズ本体の一端部とを貫通した貫通孔内に通されるスタッドボルトと、バッテリポストを内部に通す孔部とを備えている。ハウジングの下端は開口しており、内部にヒューズ本体の他端部が突出して雌型のコネクタが形成されている。雌型のコネクタが前述した電線の端末に取り付けられた雄型のコネクタと嵌合して、ヒュージブルリンクユニットと電線とが電気的に接続される。
【特許文献１】特開２００５−１１６３０９号公報
【発明の開示】
【発明が解決しようとする課題】
【０００５】
しかしながら、ヒュージブルリンクユニットのハウジングはバッテリ等に支持されていないので、バッテリから分配される回路数が増加する等してヒュージブルリンクユニットの重量が増加するとバッテリポストやバッテリ端子に集中して大きな力がかかり、車体に搭載された際に発生する振動や衝撃によってハウジングが振動してバッテリポストやバッテリ端子が折損してしまうといった問題があった。また、前述した振動や衝撃によって、ヒュージブルリンクユニットがバッテリポストやスタッドボルトを中心に回転してヒュージブルリンクユニットの近傍に配された他部品と衝突してしまう虞があった。
【０００６】
また、バッテリ等に支持されていないハウジングに電線が接続されるが、前述したように回路数が増加する等して該電線の本数が増加するとこれら電線の剛性が大きくなってヒュージブルリンクユニットに押上力（ヒュージブルリンクを、バッテリの上面から押し上げたりバッテリポストやスタッドボルトを中心に回転させたりする力）がかかるので、取付作業の際に作業者はヒュージブルリンクユニットを正規位置に保持しながら行わなければならず、取付時の作業性が低下するといった問題があった。また、ヒュージブルリンクユニットをバッテリに取り付けた後も、前述した押上力がバッテリポストやバッテリ端子にかかってバッテリポストやバッテリ端子が折損してしまう虞があった。
【０００７】
本発明は、このような問題を解決することを目的としている。即ち、本発明は、バッテリに取り付けられるヒュージブルリンクユニットにおいて、取付時の作業性を向上させるとともに、取り付けられた後の振動を確実に防止するヒュージブルリンクユニットの支持構造を提供することを目的としている。
【課題を解決するための手段】
【０００８】
前記課題を解決し目的を達成するために、請求項１に記載された発明は、被固定部と、前記被固定部に固定されるバッテリと、前記バッテリのバッテリポストに取り付けられるヒュージブルリンクユニットと、を備えたヒュージブルリンクユニットの支持構造において、前記ヒュージブルリンクユニットが、ヒュージブルリンク本体と、前記ヒュージブルリンク本体に連なり、かつ、前記ヒュージブルリンクユニットが前記バッテリに取り付けられると前記被固定部と当接して弾性変形して弾性復元力を生じて前記被固定部を押圧する弾性部を備えたことを特徴としたヒュージブルリンクユニットの支持構造である。
【０００９】
請求項２に記載された発明は、請求項１に記載されたヒュージブルリンクユニットの支持構造において、前記弾性部が、前記ヒュージブルリンク本体と着脱自在な着脱部を備えたことを特徴としたヒュージブルリンクユニットの支持構造である。
【００１０】
請求項３に記載された発明は、請求項２に記載されたヒュージブルリンクユニットの支持構造において、前記弾性部が、前記着脱部に連なり、かつ、前記ヒュージブルリンクユニットを前記バッテリに取り付ける際に前記ヒュージブルリンクユニットが前記バッテリに近づく方向に対して交差する方向の弾性復元力を生じる弾性片を備えたことを特徴としたヒュージブルリンクユニットの支持構造である。
【００１１】
請求項４に記載された発明は、請求項３に記載されたヒュージブルリンクユニットの支持構造において、前記弾性部が、前記着脱部に連なり、かつ、前記ヒュージブルリンクユニットが前記バッテリに取り付けられると前記バッテリと当接して弾性変形して弾性復元力を生じて前記バッテリを押圧する第二の弾性片を備えたことを特徴としたヒュージブルリンクユニットの支持構造である。
【発明の効果】
【００１２】
請求項１に記載された発明によれば、ヒュージブルリンクユニットが、ヒュージブルリンク本体と、ヒュージブルリンク本体に連なり、かつ、ヒュージブルリンクユニットがバッテリに取り付けられると被固定部と当接して弾性変形して弾性復元力を生じて被固定部を押圧する弾性部を備えているので、ヒュージブルリンクユニットが弾性部によって支持された状態でヒュージブルリンクユニットをバッテリに固定することができ、取付作業の際に作業者がヒュージブルリンクユニットを正規位置に保持する必要がなく、取付時の作業性を向上させることができる。また、ヒュージブルリンクユニットをバッテリに取り付けた後も、ヒュージブルリンクユニットが振動等によってがたついたり回転したりすることがなく、バッテリポスト等が折損したりヒュージブルリンクユニットが他部品と衝突したりするのを防止することができる。また、被固定部に固定されるバッテリの固定位置のばらつき以上に弾性変形する弾性部とすることによって、バッテリの固定位置のばらつきを吸収して確実にヒュージブルリンクユニットを支持することができる。
【００１３】
請求項２に記載された発明によれば、弾性部がヒュージブルリンク本体と着脱自在な着脱部を備えているので、ヒュージブルリンク本体を共有して、弾性部を被固定部とバッテリとの間隔に応じて被固定部と確実に当接するものに適宜付け替えることによって、コストダウンを図ることができる。
【００１４】
請求項３に記載された発明によれば、弾性部が、着脱部に連なり、かつ、ヒュージブルリンクユニットをバッテリに取り付ける際にヒュージブルリンクユニットがバッテリに近づく方向に対して交差する方向の弾性復元力を生じる弾性片を備えているので、ヒュージブルリンクユニットとバッテリとの間隔を一定に保ちつつ、弾性片が被固定部を確実に押圧してヒュージブルリンクユニットを確実に支持することができる。
【００１５】
請求項４に記載された発明によれば、弾性部が、着脱部に連なり、かつ、ヒュージブルリンクユニットがバッテリに取り付けられるとバッテリと当接して弾性変形して弾性復元力を生じてバッテリを押圧する第二の弾性片を備えているので、弾性片と第二の弾性片とによってヒュージブルリンクユニットがさらに確実に支持される。また、弾性部の弾性変形する範囲が拡大されてバッテリの固定位置のばらつきにさらに対応しやすくなり、バッテリを被固定部に固定する固定部材等の加工精度の許容範囲が拡大されてコストダウンを図ることができる。
【発明を実施するための最良の形態】
【００１６】
以下、本発明の第一の実施形態にかかるヒュージブルリンクユニットの支持構造１を図１ないし図７を参照して説明する。本発明の第一の実施形態にかかるヒュージブルリンクユニットの支持構造１は、図２及び図３に示すように、バッテリ２に取り付けられたヒュージブルリンクユニット４を支持する構造である。ヒュージブルリンクユニットの支持構造１は、図１に示すように、移動体としての自動車の車体を構成するボディメンバ（被固定部に相当する）１１と、バッテリ２と、バッテリ端子３と、ヒュージブルリンクユニット４と、覆いカバー１３（図３）とを備えている。
【００１７】
ボディメンバ１１には、図３に示すように、トレー１２によってバッテリ２が固定されている。トレー１２は、底壁１２ａと、底壁１２ａの外縁から立設した周壁１２ｂとを備え、有底角筒状に形成されている。トレー１２内にバッテリ２が収容され、トレー１２がボディメンバ１１に固定されることによって、ボディメンバ１１にバッテリ２が固定される。
【００１８】
バッテリ２は、図１等に示すように、収容ケース２１と、一対のバッテリポスト２２ａ、２２ｂとを少なくとも備えている。収容ケース２１は、絶縁性の合成樹脂等から形成されている。収容ケース２１は、略平板状の上蓋部２１ａと、有底筒状のケース本体２１ｂとを備えている。ケース本体２１ｂの開口部に上蓋部２１ａが取り付けられて、収容ケース２１が組み立てられる。収容ケース２１の内部には、互いに電気的に接続された複数のセル板等が収容されている。
【００１９】
バッテリポスト２２ａ、２２ｂは、略円柱状に形成されている。バッテリポスト２２ａ、２２ｂは、上蓋部２１ａを貫通して、バッテリ２の上面２ａから突出している。バッテリポスト２２ａ、２２ｂは、一端が収容ケース２１外に配され、他端が収容ケース２１内に配されて収容ケース２１内に収容された複数のセル板のうち両端に位置するセル板と電気的に接続されている。一方のバッテリポスト２２ａ（以下、単にバッテリポスト２２とよぶ）の一端には、バッテリ端子３が取り付けられ、バッテリ端子３を介してヒュージブルリンクユニット４が取り付けられる。
【００２０】
前述した構成のバッテリ２の上面２ａと側面２ｂとに亘って、ヒュージブルリンクユニット４が配される。バッテリ２の側面２ｂと直交する側面２ｃには、ヒュージブルリンクユニット４の後述する係止突起６３ａが係合する凹部２３（図３）が設けられている。
【００２１】
バッテリ端子３は、導電性の板金等を折り曲げる等して形成されている。バッテリ端子３は、図１に示すように、端子本体３１と、バッテリ用孔３２と、ボルト３３及びナット３４と、スタッドボルト３５とを備えている。端子本体３１は、一対の平板部３１ａ、３１ｂと、これら平板部３１ａ、３１ｂの長手方向の一端部同士を互いに連結する連結部３６と、係合爪３７とを備えている。
【００２２】
一対の平板部３１ａ、３１ｂは、平板状に形成され、互いに平行かつ互いに間隔をあけて相対している。バッテリ端子３がバッテリ２に取り付けられると、一対の平板部３１ａ、３１ｂはバッテリ２の上面２ａと平行に配され、一方の平板部３１ａは上面２ａから離れた側に配されて、他方の平板部３１ｂは上面２ａ寄りに配される。連結部３６は、断面形状がＵ字状に形成されている。連結部３６の長手方向中央には、連結部３６を分断する隙間が形成されている。
【００２３】
係合爪３７は、一対の平板部３１ａ、３１ｂの幅方向の両端部にそれぞれ設けられている。係合爪３７は、互いに相対する両端部から互いに近づく方向に突出している。係合爪３７が互いに係合することによって、一対の平板部３１ａ、３１ｂは互いに平行かつ互いに間隔をあけて保持される。
【００２４】
バッテリ用孔３２は、一対の平板部３１ａ、３１ｂの連結部３６寄りの端部を貫通して設けられている。バッテリ用孔３２は、一方の平板部３１ａを貫通した孔と他方の平板部３１ｂを貫通した孔とが連通して形成され、平面形状が円状に形成されている。バッテリ用孔３２内には、バッテリポスト２２が通される。
【００２５】
ボルト３３は、略円柱状の軸部と、該軸部の一端に形成された平面形状が矩形状の頭部とを一体に備えている。軸部には、ねじ溝が形成されている。ボルト３３は、軸部が連結部３６の内側に収容されて、頭部と軸部の先端とが連結部３６から突出している。ナット３４は、連結部３６から突出した軸部の先端にねじ込まれる。ナット３４が軸部の先端にねじ込まれることによって、ボルト３３の頭部とナット３４との間隔が調節されて連結部３６の隙間が調節され、バッテリ用孔３２の内径が調節される。
【００２６】
スタッドボルト３５は、略円柱状の軸部と、該軸部の一端に連なる頭部とを一体に備えている。軸部が一方の平板部３１ａの連結部３６から離れた端部を貫通したスタッドボルト孔に通され、頭部が一対の平板部３１ａ、３１ｂの間に挟持されて、スタッドボルト３５は端子本体３１に固定されている。バッテリ端子３がバッテリ２に取り付けられると、軸部はバッテリ２の上面２ａから突出するように配される。スタッドボルト３５は、ヒュージブルリンクユニット４の後述する接続孔４４ａ内に通される。そして、接続孔４４ａ内に通されたスタッドボルト３５にナット３５ａがねじ込まれて、バッテリ端子３にヒュージブルリンクユニット４が固定される。
【００２７】
ヒュージブルリンクユニット４は、全体として略Ｌ字状に形成されている。ヒュージブルリンクユニット４は、図４に示すように、ヒュージブルリンク本体４１と、ブラケット６（弾性部に相当する）と、カバー８１と、キャップ８２とを備えている。ヒュージブルリンク本体４１は、導体部４２と、導体部４２を絶縁被覆した被覆部４３とを備えている。
【００２８】
導体部４２は、導電性の板金等から形成されている。導体部４２は、被覆部４３にインサート成形されている。導体部４２は、電源バスバ４４と、複数の接続バスバと、電源バスバ４４とそれぞれの接続バスバとを接続する複数の可溶体とを備えている。
【００２９】
電源バスバ４４は、平板状に形成され、平面形状が略矩形状に形成されている。ヒュージブルリンクユニット４がバッテリ２に取り付けられると、電源バスバ４４は、バッテリ２の上面２ａと平行に配される。電源バスバ４４には、内部にバッテリ端子３のスタッドボルト３５が通される接続孔４４ａが設けられている。
【００３０】
接続バスバは、それぞれ、平板状に形成されている。ヒュージブルリンクユニット４がバッテリ２に取り付けられると、接続バスバは、バッテリ２の側面２ｂと平行に配される。接続バスバには、内部に接続ボルト４５がねじ込まれるボルト孔が設けられている。接続ボルト４５は、ヒュージブルリンクユニット４がバッテリ２に取り付けられると、バッテリ２の側面２ｂから突出する方向に配される。接続ボルト４５は、電線１４の端末に取り付けられた端子金具の取付孔に通された後、ナットがねじ込まれて該電線１４が固定される。
【００３１】
可溶体は、一つの接続バスバに対して一つ設けられている。可溶体は、電源バスバ４４と一つの接続バスバとを電気的に接続する。可溶体は、一対の連結片と、一対の連結片の間に配置された溶断片とを一体に備えている。一対の連結片は、一方の連結片が電源バスバ４４と接続され、他方の連結片が一つの接続バスバと接続される。溶断片は、比較的融点の低い金属等から形成され、ヒュージブルリンクユニット４に過電流が流れた際に自己発熱によって溶断する。溶断片が溶断することによって、電源バスバ４４と接続バスバとの電気的な接続が絶たれ、バッテリ２からの電力がヒュージブルリンクユニット４に取り付けられた電線１４（即ち、電線１４に接続された電子機器等）に供給されなくなる。
【００３２】
被覆部４３は、ナイロン樹脂等の比較的耐熱性の高い合成樹脂等から形成されている。被覆部４３は、バッテリ２の上面２ａに配される水平部５１と、バッテリ２の側面２ｂに配される下垂部５２とを一体に備えている。
【００３３】
水平部５１は、電源バスバ４４を被覆する。水平部５１には、電源バスバ４４の接続孔４４ａ及び接続孔４４ａ近傍の両面を露出する切り欠き状の露出窓５１ａが設けられている。水平部５１のバッテリ２から離れた外表面には、放熱用リブ５１ｂが設けられている。
【００３４】
下垂部５２は、接続バスバ及び可溶体を被覆する。下垂部５２は、露出窓と、複数の電線取付部５４と、コネクタ部５５と、ブラケット取付部５６とを備えている。露出窓は、下垂部５２のバッテリ２から離れた外表面に設けられ、可溶体の溶断片近傍を露出する。
【００３５】
電線取付部５４は、それぞれ、一つの接続バスバのボルト孔及びボルト孔近傍を露出させる露出窓と、露出窓の周縁から立設する複数の立設片とを備えている。電線取付部５４の内部には、ボルト孔に螺合された接続ボルト４５が突出する。電線取付部５４には、接続ボルト４５に接続された電線１４が配される。
【００３６】
コネクタ部５５は、下垂部５２の幅方向（図４中、右下〜左上方向）の端部に設けられ、該幅方向に沿って開口している。コネクタ部５５内には接続バスバの端部が突出している。コネクタ部５５は、電線１４の端末に取り付けられたコネクタと嵌合して、ヒュージブルリンクユニット４と電線１４とを電気的に接続する。
【００３７】
ブラケット取付部５６は、下垂部５２の下端（水平部５１から離れた端部）のブラケット６と相対する外表面に設けられている。ブラケット取付部５６には、ブラケット６が取り付けられる。ブラケット取付部５６は、一対のリブ５７と、ロック受け部とを備えている。
【００３８】
一対のリブ５７は、それぞれ、下垂部５２の厚さ方向（図４中、右上〜左下方向）に沿って設けられている。一対のリブ５７は、互いに間隔をあけて互いに平行に設けられている。一対のリブ５７は、下垂部５２の外表面から立設した立設部５７ａと、該立設部５７ａの先端から互いに近づく方向に延びた延設部５７ｂとを備え、断面Ｌ字状に形成されている。
【００３９】
ロック受け部は、下垂部５２の外表面から凸に設けられている。ロック受け部は、一対のリブ５７の間に設けられ、一対のリブ５７の長手方向略中央に設けられている。ロック受け部は、ブラケット６の後述するロック突起６５と係合する。
【００４０】
ブラケット６は、絶縁性の合成樹脂等から形成されている。ブラケット６は、ヒュージブルリンク本体４１とは別体とされ、ヒュージブルリンク本体４１に取り付けられる。ブラケット６は、図４ないし図７に示すように、着脱部６１と、弾性片６２と、係止片６３とを一体に備えている。
【００４１】
着脱部６１は、略角柱状に形成されている。着脱部６１のヒュージブルリンク本体４１と相対する外表面には、一対のリブ６４と、一対のリブ６４の間に設けられたロック突起６５とが設けられている。
【００４２】
一対のリブ６４は、それぞれ、着脱部６１の幅方向（図５中、左右方向）に沿って設けられている。一対のリブ６４は、互いに間隔をあけて互いに平行に設けられている。一対のリブ６４は、着脱部６１の外表面から立設した立設部６４ａと、該立設部６４ａの先端から互いに離れる方向に延びた延設部６４ｂとを備え、断面Ｌ字状に形成されている。延設部６４ｂの厚さは、ブラケット取付部５６の一対のリブ５７の延設部５７ｂと、下垂部５２の外表面との間隔より僅かに小さく設けられている。
【００４３】
ロック突起６５は、着脱部６１の外表面から凸に設けられている。ロック突起６５は、一対のリブ６４の間に設けられ、一対のリブ６４の長手方向略中央に設けられている。ロック突起６５は、一対のリブ６４と直交する方向に沿って設けられている。
【００４４】
前述した構成の着脱部６１は、ヒュージブルリンク本体４１のブラケット取付部５６に取り付けられる。着脱部６１の一対のリブ６４は、下垂部５２のバッテリ２から離れた外表面側から、下垂部５２の外表面とブラケット取付部５６の一対のリブ５７とに囲まれる空間内に挿入される（図４中、一点鎖線矢印で示す）。その後、ブラケット６をヒュージブルリンク本体４１に対してスライドさせていくと、ロック突起６５がブラケット取付部５６のロック受け部と係合して、前記挿入方向においてブラケット６がヒュージブルリンク本体４１に対して係止される。以上のように、着脱部６１によって、ブラケット６はヒュージブルリンク本体４１と着脱自在とされている。なお、前記挿入方向の反対方向においては、ヒュージブルリンクユニット４がバッテリ２に取り付けられると、図３に示すように係止片６３の後述する係止突起６３ａとバッテリ２の凹部２３とが係合して、ブラケット６がバッテリ２（に取り付けられたヒュージブルリンクユニット４のヒュージブルリンク本体４１）に対して係止される。
【００４５】
弾性片６２は、着脱部６１の長手方向（図５中、上下方向）の端部に連なっている。弾性片６２は、着脱部６１の長手方向に対して略直交する方向に延びた基部６２ａと、基部６２ａの先端に連なり着脱部６１に近づく方向に延びた折り返し部６２ｂと、折り返し部６２ｂの先端に連なり着脱部６１に近づく方向に延びた押圧部６２ｃとを備え、断面略Ｕ字状に湾曲して形成されている。基部６２ａの幅方向中央には、基部６２ａの長手方向に沿ってリブが設けられており、基部６２ａの変形が防止されている。基部６２ａと折り返し部６２ｂとの間隔は、基部６２ａと折り返し部６２ｂとの連結部分から離れるにしたがって徐々に広くなるように設けられている。基部６２ａと押圧部６２ｃとの間隔は、略一定に設けられている。弾性片６２は、折り返し部６２ｂと押圧部６２ｃとが基部６２ａに近づくように弾性変形自在に設けられている。
【００４６】
前述した構成の弾性片６２は、ブラケット６がヒュージブルリンク本体４１に取り付けられると、下垂部５２の長手方向に沿って突出するように配される。そして、ヒュージブルリンクユニット４がバッテリ２に取り付けられる際に、折り返し部６２ｂと押圧部６２ｃとがボディメンバ１１と相対するように配される。ヒュージブルリンクユニット４がバッテリ２に取り付けられると、折り返し部６２ｂの外表面がボディメンバ１１と当接して折り返し部６２ｂと押圧部６２ｃとが弾性変形し、ヒュージブルリンクユニット４をバッテリ２に取り付ける際にヒュージブルリンクユニット４がバッテリ２に近づく方向Ｔ１（図１）に対して直交する方向Ｔ２（図２）の弾性復元力を生じて押圧部６２ｃがボディメンバ１１を押圧する。
【００４７】
係止片６３は、着脱部６１の長手方向中央に設けられ、着脱部６１の外表面から弾性片６２と直交する方向に突出している。係止片６３の先端には、弾性片６２から離れる方向に突出した係止突起６３ａが設けられている。ヒュージブルリンクユニット４がバッテリ２に取り付けられると、係止突起６３ａはバッテリ２の凹部２３と係合する。
【００４８】
カバー８１は、図４に示すように、一対の壁８１ａ、８１ｂと、該一対の壁８１ａ、８１ｂの幅方向の一端部同士を連結する連結壁８１ｃとを備え、断面コ字状に形成されている。カバー８１は、下垂部５２の露出窓に露出された可溶体を覆うようにヒュージブルリンク本体４１に取り付けられる。一対の壁８１ａ、８１ｂの一方の壁８１ａには、一方の壁８１ａを貫通して設けられ可溶体を露出する覗き窓８１ｄが複数設けられている。
【００４９】
キャップ８２は、図４に示すように、帯板状に形成されている。キャップ８２は、それぞれの覗き窓８１ｄに対応して複数設けられ、それぞれ覗き窓８１ｄと略同形状に形成されている。キャップ８２は、覗き窓８１ｄを覆うようにカバー８１に取り付けられ、覗き窓８１ｄから埃等が侵入するのを防止する。
【００５０】
覆いカバー１３は、絶縁性の合成樹脂等から形成されている。覆いカバー１３は、図３に示すように、上壁１３ａと、上壁１３ａに連なる側壁１３ｂとを備え、断面Ｌ字状に形成されている。覆いカバー１３は、バッテリ２に取り付けられたヒュージブルリンクユニット４を覆うように配されて、上壁１３ａがバッテリ２の上面２ａに固定され、側壁１３ｂがボディメンバ１１に固定される。
【００５１】
前述した構成のヒュージブルリンクユニット４をボディメンバ１１に固定されたバッテリ２に取り付ける際には、まず、図１に示すように、ヒュージブルリンクユニット４の接続孔４４ａにバッテリ端子３のスタッドボルト３５を通して、ナット３５ａを途中までねじ込んでヒュージブルリンクユニット４とバッテリ端子３とを仮止めしておく。
【００５２】
そして、バッテリ端子３が仮止めされたヒュージブルリンクユニット４を前記近づく方向Ｔ１に沿ってバッテリ２に近づけて、バッテリ用孔３２にバッテリポスト２２を通していく。このとき（もしくはこの直前に）、ヒュージブルリンクユニット４のブラケット６は、ボディメンバ１１とバッテリ２との間に配されて、ボディメンバ１１と当接して弾性変形して弾性復元力によって前記直交する方向Ｔ２に沿ってボディメンバ１１を押圧する。ブラケット６によって、ヒュージブルリンクユニット４の下端が支持される。
【００５３】
その後、バッテリポスト２２をバッテリ用孔３２内に完全に通し、図２に示すように、スタッドボルト３５にナット３５ａをねじ込んでバッテリ端子３とヒュージブルリンクユニット４とを固定し、バッテリ端子３のボルト３３にナット３４をねじ込んでバッテリ端子３とバッテリ２とを固定する。最後に、ヒュージブルリンクユニット４を覆うように覆いカバー１３を取り付ける。
【００５４】
本実施形態によれば、ヒュージブルリンクユニット４が、ヒュージブルリンク本体４１と、ヒュージブルリンク本体４１に連なり、かつ、ヒュージブルリンクユニット４がバッテリ２に取り付けられるとボディメンバ１１と当接して弾性変形して弾性復元力を生じてボディメンバ１１を押圧するブラケット６を備えているので、ヒュージブルリンクユニット４がブラケット６によって支持された状態でヒュージブルリンクユニット４をバッテリ２に固定することができ、取付作業の際に作業者がヒュージブルリンクユニット４を正規位置に保持する必要がなく、取付時の作業性を向上させることができる。また、ヒュージブルリンクユニット４をバッテリ２に取り付けた後も、ヒュージブルリンクユニット４が振動等によってがたついたり回転したりすることがなく、バッテリポスト２２等が折損したりヒュージブルリンクユニット４が他部品と衝突したりするのを防止することができる。また、ボディメンバ１１に固定されるバッテリ２の固定位置のばらつき以上に弾性変形するブラケット６とすることによって、バッテリ２の固定位置のばらつきを吸収して確実にヒュージブルリンクユニット４を支持することができる。
【００５５】
ブラケット６がヒュージブルリンク本体４１と着脱自在な着脱部６１を備えているので、ヒュージブルリンク本体４１を共有して、ブラケット６をボディメンバ１１とバッテリ２との間隔に応じてボディメンバ１１と確実に当接するものに適宜付け替えることによって、コストダウンを図ることができる。
【００５６】
ブラケット６が、着脱部６１に連なり、かつ、ヒュージブルリンクユニット４をバッテリ２に取り付ける際に前記直交する方向Ｔ２の弾性復元力を生じる弾性片６２を備えているので、ヒュージブルリンクユニット４とバッテリ２との間隔を一定に保ちつつ、弾性片６２がボディメンバ１１を確実に押圧してヒュージブルリンクユニット４を確実に支持することができる。
【００５７】
本実施形態においては、ヒュージブルリンク本体４１とブラケット６とは別体とされていた。しかしながら本発明では、ヒュージブルリンク本体４１とブラケット６とが一体成形されていてもよい。
【００５８】
また、本実施形態においては、弾性片６２がボディメンバ１１を押圧する方向が、前記近づく方向Ｔ１に対して直交していた。しかしながら本発明では、弾性片６２は前記近づく方向Ｔ１に対して交差する方向であればよい。
【００５９】
次に、本発明の第二の実施形態にかかるヒュージブルリンクユニットの支持構造１を、図８を参照して説明する。なお、前述した第一の実施形態と同一構成部分には、同一符号を付して説明を省略する。
【００６０】
本発明の第二の実施形態にかかるヒュージブルリンクユニットの支持構造１は、ヒュージブルリンクユニット４が、ヒュージブルリンク本体４１と、ブラケット（弾性部に相当する）７を備えている。ブラケット７は、着脱部６１と、係止片６３（図示せず）と、弾性片７１と、第二の弾性片７２と、を備えている。
【００６１】
弾性片７１と第二の弾性片７２とは、湾曲した帯板状に形成されている。弾性片７１と第二の弾性片７２とは、着脱部６１の長手方向の端部に連なり、該長手方向に対して直交する方向に延びている。弾性片７１と第二の弾性片７２とは、互いに間隔をあけて互いに相対している。弾性片７１と第二の弾性片７２との間隔は、弾性片７１及び第二の弾性片７２の基端側と先端側とが狭く、長手方向中央が広い。弾性片７１と第二の弾性片７２とは、互いの間隔を狭くするように弾性変形自在に設けられている（図８に、弾性変形する前の弾性片７１及び第二の弾性片７２を点線で示している）。弾性片７１の長手方向中央近傍の第二の弾性片７２から離れた外表面は、ボディメンバ１１を押圧する押圧部７１ｃとされている。第二の弾性片７２の長手方向中央近傍の弾性片７１から離れた外表面は、バッテリ２を押圧する押圧部７２ｃとされている。なお、弾性片７１と第二の弾性片７２とは連結しておらず、別体とされている。
【００６２】
前述した構成の弾性片７１は、ブラケット７がヒュージブルリンク本体４１に取り付けられると、下垂部５２の長手方向に沿って突出するように配される。そして、ヒュージブルリンクユニット４がバッテリ２に取り付けられる際に、弾性片７１はボディメンバ１１と相対するように配され、第二の弾性片７２はバッテリ２の側面２ｂと相対するように配される。ヒュージブルリンクユニット４がバッテリ２に取り付けられると、押圧部７１ｃがボディメンバ１１と当接して弾性片７１が弾性変形し、前記直交する方向Ｔ２の弾性復元力を生じて押圧部７１ｃがボディメンバ１１を押圧する。同時に、押圧部７２ｃがバッテリ２と当接して第二の弾性片７２が弾性変形し、前記近づく方向Ｔ１に対して直交する方向Ｔ３の弾性復元力を生じて押圧部７２ｃがバッテリ２を押圧する。
【００６３】
本実施形態によれば、前述した第一の実施形態の効果に加え、ブラケット７が、着脱部６１に連なり、かつ、ヒュージブルリンクユニット４がバッテリ２に取り付けられるとバッテリ２と当接して弾性変形して弾性復元力を生じてバッテリ２を押圧する第二の弾性片７２を備えているので、弾性片７１と第二の弾性片７２とによってヒュージブルリンクユニット４がさらに確実に支持される。また、ブラケット７の弾性変形する範囲が拡大されてバッテリ２の固定位置のばらつきにさらに対応しやすくなり、バッテリ２をボディメンバ１１に固定する固定部材等の加工精度の許容範囲が拡大されてコストダウンを図ることができるとともに、バッテリ型式の違いによってバッテリポスト２２の配置に違いがあってもブラケット７の当接可能な範囲であれば同一のブラケット７によって対応することができる。
【００６４】
本実施形態においては、弾性片７１と第二の弾性片７２とは連結しておらず別体とされていた。しかしながら本発明では、例えば図９に示すように弾性片７１の先端と第二の弾性片７２の先端とが連結されて、弾性片７１と第二の弾性片７２とが一体成形されていてもよい。
【００６５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６６】
【図１】本発明の第一の実施形態にかかるヒュージブルリンクユニットの支持構造を示す斜視図である。
【図２】図１に示されたヒュージブルリンクユニットがバッテリに取り付けられた状態を示す斜視図である。
【図３】図２に示されたヒュージブルリンクユニットの支持構造の別方向からの斜視図である。
【図４】図２に示されたヒュージブルリンクユニットを分解して示す斜視図である。
【図５】図４に示されたブラケットの上面図である。
【図６】図４に示されたブラケットの図４中の矢印ＶＩ方向からの側面図である。
【図７】図４に示されたブラケットの図４中の矢印ＶＩＩ方向からの側面図である。
【図８】本発明の第二の実施形態にかかるヒュージブルリンクユニットの支持構造を模式的に示す側面図である。
【図９】図８に示されたヒュージブルリンクユニットの支持構造の変形例を模式的に示す側面図である。
【符号の説明】
【００６７】
１    ヒュージブルリンクユニットの支持構造
２    バッテリ
４    ヒュージブルリンクユニット
６、７    ブラケット（弾性部）
１１    ボディメンバ（被固定部）
２２、２２ａ、２２ｂ    バッテリポスト
４１    ヒュージブルリンク本体
６１    着脱部
６２、７１    弾性片
７２    第二の弾性片
【図１】
0004861291.tif 000002
【図２】
0004861291.tif 000003
【図３】
0004861291.tif 000004
【図４】
0004861291.tif 000005
【図５】
0004861291.tif 000006
【図６】
0004861291.tif 000007
【図７】
0004861291.tif 000008
【図８】
0004861291.tif 000009
【図９】
0004861291.tif 000010